(57)【要約】【課題】着用者に機能を想起させ、着用者がスポーツに適した機能を把握し易いスポーツ用の吸収性物品を提供する。【解決手段】吸収性物品(10)は、互いに直交する前後方向及び幅方向と、吸収コア(30)と、吸収コアよりも肌面側に位置する肌面シート(10)と、を有するスポーツ用の吸収性物品である。吸収性物品の肌面側から見た状態において視認可能であって、周囲から独立した機能表示図柄(50)を有する。機能表示図柄は、第１ライン(51)及び第１ラインと交差部(53)において交差する第２ライン(52)を有するＸ字状であって、交差部から四方に延出する延出部(54)を有する。【選択図】図１
2020124313.tif 000002
【特許請求の範囲】
【請求項１】
互いに直交する前後方向及び幅方向と、
吸収コアと、
前記吸収コアよりも肌面側に位置する肌面シートと、を有するスポーツ用の吸収性物品であって、
前記吸収性物品の肌面側から見た状態において視認可能であって、周囲から独立した機能表示図柄を有し、
前記機能表示図柄は、第１ライン及び前記第１ラインと交差部において交差する第２ラインを有するＸ字状であって、前記交差部から四方に延出する延出部を有する、吸収性物品。
【請求項２】
前記延出部は、曲線状の曲線部を有する、請求項１に記載の吸収性物品。
【請求項３】
前記延出部は、第１方向において隣り合う第１延出部及び第２延出部を有し、
前記第１延出部及び第２延出部は、前記第１方向の外側に膨らむ湾曲形状である、請求項２に記載の吸収性物品。
【請求項４】
前記第１延出部及び前記第２延出部は、前記交差部に連なる内端縁と、前記交差部と反対側の外端縁と、をそれぞれ有し、
前記第１延出部の幅及び前記第２延出部の幅は、前記内端縁から前記外端縁に向かって短くなっている、請求項３に記載の吸収性物品。
【請求項５】
前記吸収性物品の変形基点となる折曲基点部が設けられており、
前記折曲基点部は、前記機能表示図柄を構成する表示折曲基点部を有する、請求項１から請求項４のいずれか１項に記載の吸収性物品。
【請求項６】
前記表示折曲基点部は、少なくとも前記吸収コアを厚み方向に圧縮した圧搾部によって構成されている、請求項５に記載の吸収性物品。
【請求項７】
前記延出部は、前記幅方向において隣り合う第１延出部及び第２延出部と、前記幅方向において隣り合う第３延出部及び第４延出部と、を有し、
前記交差部は、前記第１延出部及び前記第３延出部が交差する第１交差部と、前記第２延出部及び前記第４延出部が交差する第２交差部と、を有し、
前記機能表示図柄は、前記第１交差部と前記第２交差部を連結し、かつ前記幅方向に延びる連結部を有する、請求項６に記載の吸収性物品。
【請求項８】
前記連結部の幅は、前記延出部の幅以上である、請求項７に記載の吸収性物品。
【請求項９】
着用者の排泄口と対向する中央域を有し、
前記表示折曲基点部の少なくとも一部は、前記中央域の前記前後方向の中心よりも後側に位置する、請求項６から請求項８のいずれか１項に記載の吸収性物品。
【請求項１０】
前記折曲基点部は、前記中央域において前記吸収性物品の幅方向の中心を挟んで前記前後方向に延びる一対の前後折曲基点部を有しており、
前記前後折曲基点部は、前記中央域の前記前後方向の中心を跨っており、前記表示折曲基点部よりも前記幅方向の外側に位置している、請求項９に記載の吸収性物品。
【請求項１１】
着用者の排泄口と対向する中央域と、
前記中央域よりも後側に位置する後側域と、を有し、
前記後側域における前記吸収性物品の外縁には、平面視にて外側に膨出する複数の凸部と、前記凸部間に位置する凹部と、が設けられており、
前記凹部は、前記交差部よりも後側において前記幅方向に間隔を空けて一対で配置されている、請求項９又は請求項１０に記載の吸収性物品。
【請求項１２】
前記吸収性物品を着用物品に接合する接合部が設けられており、
前記接合部は、前記四方に延出する延出部のそれぞれと重なる領域に配置されている、請求項１から請求項１１のいずれか１項に記載の吸収性物品。
【請求項１３】
着用者の排泄口と対向する中央域と、
前記中央域よりも後側に位置する後側域と、を有し、
前記後側域における前記吸収性物品の外縁には、平面視にて外側に膨出する複数の凸部と、前記凸部間に位置する凹部と、が設けられており、
前記延出部に沿って前記延出部からそれぞれ延びる複数の延出仮想線のうち一つの延出仮想線は、前記凸部に到達する、請求項６から請求項１１のいずれか１項に記載の吸収性物品。
【請求項１４】
複数の前記延出仮想線のうち第１延出仮想線が前記吸収性物品の外縁に到達する第１到達点と、複数の前記延出仮想線のうち第２延出仮想線が前記吸収性物品の外縁に到達する第２到達点と、の間には、前記凹部が設けられている、請求項１３に記載の吸収性物品。
【発明の詳細な説明】
【技術分野】
【０００１】
本発明は、スポーツ時に好適に使用されるスポーツ用の吸収性物品に関する。
【背景技術】
【０００２】
吸収性物品として、生理用ナプキン、パンティライナー、及び吸収パッドが知られている。着用者は、吸収性物品を着用物品に取り付ける際等において、吸収性物品を使用する前に吸収性物品を注視する。このとき、吸収性物品の図柄によって着用者の気分を変えることが行われている（例えば、特許文献１参照）。
【先行技術文献】
【特許文献】
【０００３】
【特許文献１】特開２０１８−１０２９７４号公報
【発明の概要】
【発明が解決しようとする課題】
【０００４】
特許文献１の吸収性物品は、吸収性物品を個別する包装シートに動物図柄の主図柄を有しており、使用者の気分を向上させている。出願人が鋭意研究した結果、着用者が使用前に図柄を視認することにより、着用者の感覚に働きかけることがわかった。
【０００５】
また、種々の機能に特化した吸収性物品が求められている。例えば、スポーツ時に好適に使用できるスポーツ用の吸収性物品が求められている。しかし、機能に対して十分に興味を持たない着用者にあっては、当該機能を十分に把握できずに使用することがあり、その機能の効果を得難いおそれがあった。
【０００６】
そこで、着用者に機能を想起させ、着用者がスポーツに適した機能を把握し易いスポーツ用の吸収性物品を提供することを目的とする。
【課題を解決するための手段】
【０００７】
一態様に係る吸収性物品は、互いに直交する前後方向及び幅方向と、吸収コアと、前記吸収コアよりも肌面側に位置する肌面シートを有するスポーツ用の吸収性物品であって、前記吸収性物品の肌面側から見た状態において視認可能であって、周囲から独立した機能表示図柄を有し、前記機能表示図柄は、第１ライン及び前記第１ラインと交差部において交差する第２ラインを有するＸ字状であって、前記交差部から四方に延出する延出部を有する。
【図面の簡単な説明】
【０００８】
【図１】実施形態における吸収性物品の肌面側から見た平面図である。
【図２】実施形態における吸収性物品の非肌面側から見た平面図である。
【図３】図１のＡ−Ａ線に沿った吸収性物品の断面図である。
【図４】機能表示図柄の拡大平面図である。
【図５】身体の筋肉の形状を模式的に示した図である。
【図６】着用状態の吸収性物品の斜視図である。
【図７】変形例に係る吸収性物品の肌面側から見た平面図である。
【発明を実施するための形態】
【０００９】
（１）実施形態の概要
本明細書及び添付図面の記載により、少なくとも以下の事項が明らかとなる。
一態様に係る吸収性物品は、互いに直交する前後方向及び幅方向と、吸収コアと、前記吸収コアよりも肌面側に位置する肌面シートを有するスポーツ用の吸収性物品であって、前記吸収性物品の肌面側から見た状態において視認可能であって、周囲から独立した機能表示図柄を有し、前記機能表示図柄は、第１ライン及び前記第１ラインと交差部において交差する第２ラインを有するＸ字状であって、前記交差部から四方に延出する延出部を有する。
【００１０】
着用者がＸ字状の機能表示図柄を視認することにより、スポーツを想起することができ、スポーツ用の吸収性物品であることを認識し易くなる。具体的には、Ｘ字状のデザインは、交差部と、交差部から延びる延出部と、を有する。延出部は、交差部から異なる四方向に延びている。隣り合う延出部によって挟まれた部分は、延出部よりも目立ちにくく、延出部に対して凹んだ形状として認識され易い。そして、延出部が、延出部によって挟まれた部分に対して膨らむ形状として認識され易い。一般的に身体の筋肉は、膨らんだ凸部分と、凸部分に対して凹んだ凹部分と、の組み合わせによって構成されており、腹筋及び胸筋のように立体的な身体に沿うように凸部分がＸ字状を形成している。Ｘ字状の機能表示図柄を設けることにより、着用者の感覚に働きかけ、Ｘ字状の凸部分と凸部分に対して凹む凹部分から筋肉をイメージさせ、スポーツを着用者に想起させることができる。よって、着用者は、スポーツに適した機能を有するスポーツ用の吸収性物品であることを把握し易くなる。
【００１１】
好ましい一態様によれば、前記延出部は、曲線状の曲線部を有してよい。
【００１２】
身体の筋肉は、曲線状である。本態様によれば、延出部の曲線部によって、着用者に筋肉をよりイメージさせて、スポーツを想起させることができる。
【００１３】
好ましい一態様によれば、延出部は、第１方向において隣り合う第１延出部及び第２延出部を有し、前記第１延出部及び第２延出部は、前記第１方向の外側に膨らむ湾曲形状であってよい。
【００１４】
第１延出部及び第２延出部は、互いが離れる方向に向かって外側に膨らむ湾曲形状である。第１延出部及び第２延出部によって挟まれた領域は、直線によって挟まれた三角形状ではなく、曲線形状であり、身体の筋肉の膨らむ形状を模すことができる。よって、着用者により筋肉をイメージさせて、スポーツを想起させることができる。
【００１５】
好ましい一態様によれば、前記第１延出部及び前記第２延出部は、前記交差部に連なる内端縁と、前記交差部と反対側の外端縁と、をそれぞれ有し、前記第１延出部の幅及び前記第２延出部の幅は、前記内端縁から前記外端縁に向かって短くなってよい。
【００１６】
身体の筋肉は、曲線状に隆起しており、筋肉の膨らみから身体の凹むラインに向かって徐々に凹んでいく。延出部の幅が外端縁に向かって短くなることにより、筋肉の膨らみから身体の凹むラインを示すことができ、着用者により筋肉をイメージさせて、スポーツを想起させることができる。
【００１７】
好ましい一態様によれば、前記吸収性物品の変形基点となる折曲基点部が設けられており、前記折曲基点部は、前記機能表示図柄を構成する表示折曲基点部を有してよい。
【００１８】
表示折曲基点部を基点として吸収性物品が変形することにより、機能表示図柄を基点として周囲が膨らむように変形する等して、機能表示図柄及びその周囲が立体的に変形する。着用者により筋肉をイメージさせるとともに、動きをイメージさせることができ、よりスポーツを想起させることができる。また、スポーツによる複雑な動きによってねじれ方向の力が作用することがある。このとき、Ｘ字状の基点の変形によってねじれを吸収したり、延出部に沿って力を四方に逃がしたりできる。よって、変形時によれにくく、スポーツによる激しい動きに対する耐久性を高めることができる。
【００１９】
好ましい一態様によれば、前記表示折曲基点部は、少なくとも前記吸収コアを厚み方向に圧縮した圧搾部によって構成されてよい。
【００２０】
圧搾部からなる表示折曲基点部は、周囲と比較して剛性差及び厚み差があり、変形基点となりやすい。また、圧搾部は、周囲と比較して高い密度であり、体液を引き込みやすい。よって、圧搾部によって体液を吸収することにより、圧搾部が体液によって目立ちやすくなり、機能表示図柄の機能をより発揮し易くなる。
【００２１】
好ましい一態様によれば、前記延出部は、前記幅方向において隣り合う第１延出部及び第２延出部と、前記幅方向において隣り合う第３延出部及び第４延出部と、を有し、前記交差部は、前記第１延出部及び前記第３延出部が交差する第１交差部と、前記第２延出部及び前記第４延出部が交差する第２交差部と、を有し、前記機能表示図柄は、前記第１交差部と前記第２交差部を連結し、かつ前記幅方向に延びる連結部を有してよい。
【００２２】
着用時に吸収性物品が脚によって挟まれると、吸収性物品には、幅方向の外側から内側に向かう力がかかる。第１交差部と第２交差部が連結部によって連結されているため、連結部によって幅方向の内側に向かう力に対向でき、吸収性物品の幅入り及びよれを防ぐことができる。
【００２３】
好ましい一態様によれば、前記連結部の幅は、前記延出部の幅以上であってよい。
【００２４】
本態様によれば、連結部によって幅方向の内側に向かう力により対向でき、吸収性物品の幅入り及びよれを防ぐことができる。
【００２５】
好ましい一態様によれば、着用者の排泄口と対向する中央域を有し、前記表示折曲基点部の少なくとも一部は、前記中央域の前記前後方向の中心よりも後側に位置してよい。
【００２６】
スポーツによって臀部が動いて捩れの力が生じると、会陰部付近に最も力がかかりやすい。折曲基点部が会陰部にかかる力によって変形することで、スポーツ時の身体に対する追従性を高めることができる。
【００２７】
好ましい一態様によれば、前記折曲基点部は、前記中央域において前記吸収性物品の幅方向の中心を挟んで前記前後方向に延びる一対の前後折曲基点部を有しており、前記前後折曲基点部は、前記中央域の前記前後方向の中心を跨っており、前記表示折曲基点部よりも前記幅方向の外側に位置してよい。
【００２８】
中央域の前後方向の中心には、幅方向の外側から内側に向かう力がかかり易い。このとき、前後折曲基点部を基点に変形し、前後折曲基点部によって挟まれた領域が着用者側に膨らむように変形する。このとき、中央域よりも後側に位置する後側域に臀部の動き等による捩れ方向の力がかかると、中央域の前後方向の中心よりも後側に位置する表示折曲基点部によって力を吸収し、前後折曲基点部によって着用者に膨らむ変形を維持し続けることができる。よって、排泄口に対するフィット性を向上できる。
【００２９】
好ましい一態様によれば、着用者の排泄口と対向する中央域と、前記中央域よりも後側に位置する後側域と、を有し、前記後側域における前記吸収性物品の外縁には、平面視にて外側に膨出する複数の凸部と、前記凸部間に位置する凹部と、が設けられており、前記凹部は、前記交差部よりも後側において前記幅方向に間隔を空けて一対で配置されてよい。
【００３０】
着用者が比較的に大きな動作をすると、吸収性物品のうち特に後側域に捩れさせようとする力が作用する。このとき、一対の凹部及び表示折曲基点部よって後側域のねじれを吸収し、当該ねじれが中央域の前後方向の中心に伝わり難くなる。よって、中央域における排泄口に対するフィット性の確保と後側域の身体への追従性を維持できる。
【００３１】
好ましい一態様によれば、前記吸収性物品を着用物品に接合する接合部が設けられており、前記接合部は、前記四方に延出する延出部のそれぞれと重なる領域に配置されてよい。
【００３２】
本態様によれば、四方に延びる延出部のそれぞれが接合部に重なっているため、延出部のそれぞれが着用物品に接合されて剛性が高くなり、変形基点としてより機能し易くなる。よって、Ｘ字状の基点の変形によってねじれを吸収したり、延出部に沿って力を四方に逃がしたりできる。よって、変形時によれにくく、スポーツによる激しい動きに対する耐久性を高めることができる。
【００３３】
好ましい一態様によれば、着用者の排泄口と対向する中央域と、前記中央域よりも後側に位置する後側域と、を有し、前記後側域における前記吸収性物品の外縁には、平面視にて外側に膨出する複数の凸部と、前記凸部間に位置する凹部と、が設けられており、前記延出部に沿って前記延出部からそれぞれ延びる複数の延出仮想線のうち一つの延出仮想線は、前記凸部に到達してよい。
【００３４】
圧搾部からなる表示折曲基点部は、密度が高く、毛管現象によって体液を延出仮想線に沿って拡散し易い。延出仮想線が吸収性物品の外縁の凸部に到達することにより、延出部から吸収性物品の外端までの距離が長くなり、延出部によって拡散した体液の漏れを抑制できる。使用者は、使用後には、延出部によって体液を拡散でき、広い範囲で体液を吸収できること、及び体液の拡散方向における膨らみによって漏れが抑制されることを把握でき、吸収性能と漏れ抑制に対する安心感を得ることができる。
【００３５】
好ましい一態様によれば、複数の前記延出仮想線のうち第１延出仮想線が前記吸収性物品の外縁に到達する第１到達点と、複数の前記延出仮想線のうち第２延出仮想線が前記吸収性物品の外縁に到達する第２到達点と、の間には、前記凹部が設けられてよい。
【００３６】
延出仮想線に沿って機能表示図柄からを四方に力を逃すようなイメージを着用者に与えることができ、スポーツ時においてもよれにくい印象を与えることができる。また、吸収性物品の外縁に凹部があることによって、凹部からＸ字状の基点にむけて変形しやすくなることがある。しかし、機能表示図柄からを四方に力を逃し、その先に凸部があるため、力を外縁に逃がすことができる。よって、変形時によれにくく、スポーツによる激しい動きに対する耐久性を高めることができる。
【００３７】
（２）実施形態に係る吸収性物品
以下、図面を参照して、実施形態に係る吸収性物品ついて説明する。吸収性物品は、生理用ナプキン、パンティライナー及び、大人用失禁パッドを含む。吸収性物品は、下着等の着用物品の内側に取り付けられて使用される物品であってよい。
【００３８】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００３９】
図１は、実施形態における肌面側から見た吸収性物品の平面図である。図２は、実施形態における非肌面側から見た吸収性物品の平面図である。図３は、図１に示すＡ−Ａ線に沿った断面図である。ここで、「肌面側」は、使用中に着用者の肌に面する側に相当する。「非肌面側」は、使用中に着用者の肌とは反対に向けられる側に相当する。なお、図３の断面図では、説明の便宜上、吸収性物品を構成する構成部材を厚み方向に離間させている。しかし、実際の製品では、構成部材同士は、厚み方向に接しており、また、圧搾部による凹みが形成されている。
【００４０】
吸収性物品は、スポーツ用の吸収性物品である。スポーツ用の吸収性物品は、スポーツ時に適した吸収性物品である。ここで、スポーツ用の吸収性物品とは、以下の１から３の少なくともいずれかに当てはまる吸収性物品である。１、吸収性物品自体、吸収性物品を個別に包装する包装シート、及び吸収性物品を複数収容したパッケージのうち少なくともいずれかに、スポーツ用であること、またはスポーツを想起させる文字や絵柄を有する吸収性物品。２、吸収性物品の販促ツール（広告、販売促進物）において、スポーツ用であることを示した吸収性物品。３、普通の生活では行われないスポーツ時ならではの動作にて違和感なく使用することができる吸収性物品。例えば、脚を大きく動かす等のスポーツの動きを阻害しない柔軟性がある吸収性物品。長時間走り続ける等長時間のスポーツにおいても吸収体や吸収性物品が破損せずに使用することができる耐久性がある吸収性物品。着用者が汗をかいてもヨレやズレが発生せず装着感に違和感がない吸収性物品。本実施形態は、スポーツを想起させる機能表示図柄を有するともに、機能表示図柄を構成する圧搾部によってスポーツ時のねじれを吸収し、スポーツ時に違和感なく使用できるように構成されている。
【００４１】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌面側Ｔ１から非肌面側Ｔ２へ延びる方向であり、前後方向Ｌ及び幅方向Ｗに直交する方向である。肌面側Ｔ１は、使用時に、着用者の肌に面する側に相当する。非肌面側Ｔ２は、使用時に、肌面側Ｔ１とは反対側、すなわち着用者の肌とは反対に向けられる側に相当する。
【００４２】
吸収性物品１は、中央域Ｓ３、前側域Ｓ１及び後側域Ｓ２を有する。中央域Ｓ３は、着用者の排泄口（例えば膣口）に対向する領域である。吸収性物品が下着に装着されたときに、中央域Ｓ３は、下着の股下部に位置する。つまり、中央域Ｓ３は、着用者の股下、すなわち着用者の両足の間に配置される領域である。前側域Ｓ１は、中央域Ｓ３よりも前側に位置する。前側域Ｓ１の前端縁は吸収性物品１の前端縁を規定する。後側域Ｓ２は、中央域Ｓ３よりも後側に位置する。後側域Ｓ２の後端縁は吸収性物品１の後端縁を規定する。後側域Ｓ２の前後方向Ｌの長さは、中央域Ｓ３の前後方向Ｌの長さよりも長くなってよい。
【００４３】
中央域Ｓ３には、後述するウイング３が設けられてよい。ウイング３の前端縁３Ｆは、ウイング３の付け根によって規定されており、幅方向Ｗの内側に窪んだ２つの部分のうち、前側に位置する部分に相当する。ウイング３の前端縁３Ｆは、中央域Ｓ３と前側域Ｓ１との境界を規定してもよい。ウイング３の後端縁３Ｒは、ウイング３の付け根によって規定されており、幅方向Ｗの内側に窪んだ２つの部分のうち、後側に位置する部分に相当する。ウイング３の後端縁３Ｒは、中央域Ｓ３と後側域Ｓ２との間に位置してよい。ここで、前後方向Ｌにおけるウイング３の前端縁とウイング３の後端縁との間の領域を「ウイング域」と称する。また、ウイングの内側縁は、ウイングの付け根であり、ウイング３の前端縁３Ｆとウイング３の後端縁３Ｒを繋ぐウイング仮想線ＦＬ３（図１参照）となる。
【００４４】
また、ウイングを有する吸収性物品では、中央域Ｓ３は、ウイング域と実質的に同じ領域となる。したがって、本明細書において、「中央域Ｓ３」との語は、「ウイング域」と読み替えることができることに留意すべきである。また、中央域Ｓ３は、ウイングを有しない吸収性物品にあっては、吸収コア３０を前後方向Ｌに三等分した真ん中の領域であってもよいし、高坪量部３３を有する吸収性物品にあっては、高坪量部３３を有する領域であってもよい。
【００４５】
中央域Ｓ３は、中央中心線Ｓ３ＣＬを含む中央中心部Ｓ３１と、中央中心部Ｓ３１よりも前後方向Ｌの外側に位置する中央端部Ｓ３２と、を有する。中央中心線Ｓ３ＣＬは、中央域Ｓ３における前後方向Ｌの中心を通り、かつ幅方向Ｗに延びるラインである。中央中心部Ｓ３１は、中央中心線Ｓ３ＣＬを含み、中央中心線Ｓ３ＣＬから前後方向に一定の範囲を有する領域である。中央端部Ｓ３２は、中央域Ｓ３の前端縁から一定の範囲を有する領域と、中央域Ｓ３の後端縁から一定の範囲を有する領域と、によって構成されている。中央中心部Ｓ３１は、前後方向において中央端部Ｓ３２によって挟まれている。中央中心部Ｓ３１は、中央域Ｓ３を前後方向に３等分した領域のうち、中央に位置する領域によって構成されている。または、後述するウイング接合部６２が設けられた領域を中央中心部Ｓ３１として、中央中心部Ｓ３１の前後方向の外側の領域を、中央端部Ｓ３２としてもよい。
【００４６】
吸収性物品１は、肌面シート１０、非肌面シート２０及び吸収コア３０を有する。肌面シート１０は、吸収コア３０よりも肌面側Ｔ１に設けられる。非肌面シート２０は、吸収コア３０よりも非肌面側Ｔ２に設けられる。吸収コア３０は、肌面シート１０と非肌面シート２０との間に設けられる。
【００４７】
肌面シート１０は、体液等の液体を透過する液透過性のシートであり、不織布、織布、有孔プラスチックシート、メッシュシート等、液体を透過する構造を有する任意のシート状の材料から構成される。また、肌面シート１０は、吸収コア３０の幅方向の中央を覆う表面シート１１と、表面シート１１の外側部を覆い、かつ表面シート１１から幅方向の外側に延びるサイドシート１２によって構成されよい。表面シート１１は、少なくとも吸収コア３０の幅方向Ｗの中央を覆い、サイドシート１２は、幅方向Ｗにおける表面シート１１の外側部を覆い、表面シート１１よりも幅方向Ｗの外側へ延びてよい。サイドシート１２は、防漏性の観点から疎水性のシートを用いてもよい。肌面シートと吸収コア（又はコアラップ）との間には、セカンドシートが配置されていてもよい。
【００４８】
なお、本発明における外側部とは、幅方向Ｗにおける外側縁を含む幅方向Ｗに一定の範囲を占める部分であり、外側縁とは、幅方向Ｗにおける外側縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでいる。
【００４９】
非肌面シート２０は、液不透過性のシートである。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００５０】
吸収コア３０は、少なくとも中央域Ｓ３及び後側域Ｓ２に配置される。また、吸収コア３０は、前側域Ｓ１にも配置されてよい。吸収コア３０は、液体を吸収する吸収材料が積層されており、コアラップ（図示せず）によって覆われてよい。吸収コア３０を構成する吸収材料は、例えば、親水性繊維、パルプ及び高吸水性高分子（ＳＡＰ）から形成できる。
【００５１】
吸収コア３０は、熱可塑性樹脂繊維を含んでいてよい。コアラップは、例えば不織布やティッシュから構成することができる。コアラップは、吸収コア３０よりも肌面側Ｔ１と吸収コア３０よりも非肌面側Ｔ２にそれぞれ配置されてよい。変形例として、吸収コア３０は、コアラップを有していなくてもよい。この場合、吸収コア３０は、肌面シート１０と非肌面シート２０とによって覆われていればよい。
【００５２】
前述したように、吸収性物品１は、ウイング３を有する。ウイング３は、中央域Ｓ３における吸収コア３０の外側縁よりも幅方向Ｗの外側に延出している。ウイング３は、肌面シート１０と非肌面シート２０との積層によって構成されてよい。ウイング３は、非肌面シート２０側に折り返し可能に構成されている。ウイング３は、使用時に着用物品としての下着のクロッチ部の非肌面側に折り返される。
【００５３】
変形例において、吸収性物品は、ヒップフラップを有してよい。ヒップフラップは、ウイング３と同様に、中央域Ｓ３における吸収コア３０の外側縁よりも幅方向Ｗの外側に延出し、肌面シート１０と非肌面シート２０との積層によって構成されてよい。ヒップフラップは、ウイング３よりも後側に位置し、後側域Ｓ２に設けられてよい。ヒップフラップは、使用時に折り返されず、下着と着用者の臀部との間に配置される。ヒップフラップには、吸収材料が設けられてなくてもよいし、吸収材料が設けられてもよい。
【００５４】
図２に示すように、吸収性物品１は、吸収性物品１を下着等の着用物品に接合するための粘着剤が設けられた接合部を有する。接合部は、吸収コア３０と重なる領域に配置された本体接合部６１と、ウイング３に配置されたウイング接合部６２と、を有してよい。本体接合部６１は、前後方向Ｌに延び、かつ幅方向Ｗに間隔を空けて配置されている。本体接合部６１は、吸収性物品の幅方向Ｗの中心である物品幅中心線１ＷＣに配置されてなく、物品幅中心線１ＷＣの幅方向Ｗの両側にそれぞれ複数列ずつ配置されている。ここで、物品幅中心線１ＷＣは、吸収性物品の幅方向Ｗの中心を通り、かつ前後方向Ｌに延びるラインである。具体的には、本体接合部６１は、物品幅中心線１ＷＣの幅方向Ｗの両側にそれぞれ８列ずつ配置されている。最も幅方向Ｗの外側の列に位置する本体接合部６１の前後方向の長さは、他の本体接合部６１の前後方向の長さよりも長くてよい。これらの接合部は、非肌面シート２０の非肌面側に設けられている。接合部は、使用前の状態において、被覆シートによって覆われてもよい。被覆シートは、使用前に接合部の粘着剤の劣化を防止し、吸収性物品の使用時に着用者によって取り外される。
【００５５】
吸収性物品の外縁には、平面視にて外側に膨出する複数の凸部と、凸部間に位置し、幅方向の内側に凹む凹部と、が設けられている。凸部と凹部は、物品幅中心線１ＷＣに対して線対称であって、一対で設けられてよい。凸部と凹部は、少なくとも後側域Ｓ２に設けられてよい。凸部と凹部は、肌面シート１０と非肌面シート２０が重ねられ、吸収コア３０が配置されていない領域に設けられてよい。凸部と凹部は、少なくとも後側域Ｓ２に設けられてよい。凹部は、中央域Ｓ３と後側域Ｓ２との境界に位置する第１凹部９５と、後側域Ｓ２の前後方向の中央に位置する第２凹部９６と、を有してよい。凸部は、第１凹部９５と第２凹部９６の間に位置する第１凸部９１と、第２凹部９６と吸収性物品の後端縁の間に位置する第２凸部９２と、を有してよい。
【００５６】
吸収性物品１は、吸収性物品の肌面側から見た状態において視認可能な機能表示図柄５０を有する。機能表示図柄５０は、吸収性物品１の機能を表示する図柄であり、本実施の形態では、スポーツ用の吸収性物品であることを示す図柄である。機能表示図柄５０は、スポーツを示す図柄及び文字のみならず、スポーツを想起させる図柄及び文字を含むものである。機能表示図柄５０は、平面視にてＸ字状でデザインであり、スポーツを想起させるように構成されている。機能表示図柄５０は、中央中心線Ｓ３ＣＬよりも前側に位置する前機能表示図柄Ｆ５０と、中央中心線Ｓ３ＣＬよりも後側に位置する後機能表示図柄Ｒ５０と、を有してよい。機能表示図柄５０については、後述にて詳細に説明する。
【００５７】
吸収性物品１には、吸収性物品の変形基点となる折曲基点部が設けられている。折曲基点部は、吸収性物品１の変形基点として機能する。折曲基点部は、剛性差、厚み差、吸収コアの坪量の差等によって変形の基点となるものであればよく、具体的には、少なくとも吸収コアを厚み方向に圧縮した圧縮部、吸収コアの坪量が周囲よりも低い低坪量部、吸収コアの坪量が周囲よりも高い高坪量部、及び吸収コアの厚みが周囲よりも薄い低厚み部、吸収コアの厚みが周囲よりも厚い高厚み部の少なくともいずれか、又はこれらの組み合わせによって構成できる。
【００５８】
折曲基点部は、機能表示図柄５０を構成する表示折曲基点部７０と、前後折曲基点部７５と、を有してよい。本実施の形態の表示折曲基点部７０は、圧搾部としての表示圧搾部８１によって構成されている。表示圧搾部８１は、吸収コア３０と肌面シートとしての表面シート１１が厚み方向に圧縮されている。表示圧搾部８１は、低圧搾部と、低圧搾部よりも圧縮の程度が強い高圧搾部と、の集合体によって構成されてよい。低圧搾部の深さは、高圧搾部の深さよりも浅い。すなわち、低圧搾部の圧縮の程度は、高圧搾部の圧縮の程度よりも弱い。折曲基点部は、物品幅中心線１ＷＣに対して線対称であってよい。
【００５９】
表示折曲基点部７０は、前機能表示図柄Ｆ５０を構成する前表示折曲基点部Ｆ７０と、後機能表示図柄Ｒ５０を構成する後表示折曲基点部Ｒ７０と、を有してよい。前表示折曲基点部Ｆ７０は、前後折曲基点部７５よりも前側に位置し、前側域Ｓ１と中央域Ｓ３に跨がって配置されてよい。後表示折曲基点部Ｒ７０は、前後折曲基点部７５よりも後側に位置し、後側域Ｓ２と中央域Ｓ３に跨がって配置されてよい。前表示折曲基点部Ｆ７０及び後表示折曲基点部Ｒ７０のそれぞれは、第１ライン及び第１ラインと交差部において交差する第２ラインを有するＸ字状であって、交差部から四方に延出する延出部を有してよい。
【００６０】
前後折曲基点部７５は、表示折曲基点部７０よりも幅方向の外側に位置してよい。前後折曲基点部７５は、吸収性物品の幅方向Ｗの中心を挟んで前後方向に延びる。前後折曲基点部７５は、中央域Ｓ３のみに設けられていてもよいし、前側域Ｓ１に跨がっていてもよいし、後側域Ｓ２に跨がっていてもよい。前後折曲基点部７５は、少なくとも中央中心線Ｓ３ＣＬを跨がっていればよく、中央域Ｓ３の前後方向の全域でなく前後方向の一部の領域に設けられていてもよい。本実施の形態の前後折曲基点部７５の前端縁７５Ｆは、中央域Ｓ３の前端縁よりも後側に位置し、前後折曲基点部７５の後端縁７５Ｒは、中央域Ｓ３の後端縁よりも前側に位置してよい。
【００６１】
前後折曲基点部７５は、物品幅中心線１ＷＣに対して幅方向Ｗに離間しており、物品幅中心線１ＷＣを挟んで一対で配置されている。前後折曲基点部７５は、前後方向Ｌに延びている。なお、前後折曲基点部７５は、少なくとも前後方向に延びていればよく、前後方向Ｌに対して平行であってもよいし、前後方向Ｌに対して傾斜していてもよい。前後折曲基点部７５は、平面視にて幅方向Ｗの内側に膨らむ湾曲形状であってもよいし、幅方向Ｗの外側に向かって膨らむ湾曲形状であってもよい。前後折曲基点部７５は、複数の点状部分の集合体によって構成されていてもよいし、線状であってもよい。
【００６２】
前後折曲基点部７５は、吸収コア３０に重なっていてよい。前後折曲基点部７５部は、吸収コアの変形基点として機能することが好ましい。吸収コア３０の外側縁３０Ｅは、前後折曲基点部７５部よりも幅方向Ｗの外側に位置しており、吸収コア３０の外側縁３０Ｅと前後折曲基点部７５は、幅方向Ｗに離間している。そのため、吸収コアは、前後折曲基点部７５よりも幅方向Ｗの外側の領域と、前後折曲基点部７５同士によって挟まれた領域と、にそれぞれ配置されている。
【００６３】
前後折曲基点部７５は、圧搾部８０としての前後圧搾部８５によって構成されてよい。圧搾部８０は、折曲基点部（表示折曲基点部及び前後折曲基点部）を構成する表示圧搾部の他に、サイド圧搾部８７と、中央圧搾部８６と、を有してよい。サイド圧搾部８７及び中央圧搾部８６は、少なくとも吸収コアが厚み方向Ｔに圧縮されており、肌面シート１０と吸収コア３０が厚み方向Ｔに圧縮されていてもよい。
【００６４】
サイド圧搾部８７は、平面視にて曲線状であり、間隔を空けて複数設けられている。サイド圧搾部８７は、幅方向Ｗの内側に膨らむ凸形状と、幅方向Ｗの外側に膨らむ凸形状と、が前後方向に連続したライン状であってよい。サイド圧搾部８７は、主に、前後折曲基点部７５よりも幅方向Ｗの外側と、前表示折曲基点部Ｆ７０よりも前側と、後表示折曲基点部Ｒ７０よりも後側と、に設けられてよい。サイド圧搾部８７は、前後折曲基点部７５、前表示折曲基点部Ｆ７０及び後表示折曲基点部Ｒ７０のそれぞれに重なる領域にも設けられてよい。サイド圧搾部８７は、前後折曲基点部７５よりも幅方向Ｗの内側に延出していてもよいし、前表示折曲基点部Ｆ７０よりも後側に延出していてもよいし、後表示折曲基点部Ｒ７０よりも前側に延出していてもよい。
【００６５】
中央圧搾部８６は、一対の前後折曲基点部７５に挟まれた領域に設けられている。中央圧搾部８６は、点状であって、前後方向及び幅方向Ｗに間隔を空けて複数配置されている。中央圧搾部８６は、高坪量部３３が配置された領域に設けられてよい。中央圧搾部８６は、少なくともサイド圧搾部８７よりも深く圧搾されている。すなわち、中央圧搾部８６の底面は、サイド圧搾部８７の底面よりも非肌面側に位置している。当該構成によれば、中央域Ｓ３が膣口にフィットした際に、経血等の体液を吸収コア側に引き込み易くなる。
【００６６】
（３）機能表示図柄の詳細構成
次いで、機能表示図柄５０について詳細に説明する。図４は、機能表示図柄５０の拡大平面図である。図４（ａ）は、前機能表示図柄Ｆ５０であり、図４（ｂ）は、後機能表示図柄Ｒ５０である。機能表示図柄５０は、吸収性物品１の肌面側Ｔ１から見た状態において視認可能に構成されている。なお、本発明における「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できる事を意味している。機能表示図柄５０は、周囲から独立して配置されている。なお、本発明における「周囲から独立している」とは、周囲の図柄及び文字から離間して配置されていることであり、視認可能な他の図柄とは平面視にて離間していることである。ただし、平面視にて視認不可能な図柄（良好な視力ではほぼ見えない）図柄とは、重なっていてもよい概念である。機能表示図柄５０は、他の図柄及び文字よりも目立ちやすく構成されていることが好ましい。具体的には、機能表示図柄５０の寸法は、他の図柄等の寸法よりも大きくてもよいし、機能表示図柄５０の色が、他の図柄等の色よりも濃い構成を例示できる。
【００６７】
機能表示図柄５０は、第１ライン５１及び第２ライン５２を有するＸ字状のデザインを有する。第１ライン５１と第２ライン５２は、交差部５３において交差している。交差部５３は、第１ライン５１と第２ライン５２が分岐する分岐点と、第１ライン５１と第２ライン５２が交差する交差点と、の境界である。本実施の形態の交差部５３は、幅方向Ｗに間隔を空けて設けられた第１交差部５３１と第２交差部５３２を有する。
【００６８】
機能表示図柄５０は、交差部５３から四方に延出する延出部５４を有する。本実施の形態の延出部５４は、第１交差部５３１から２つの延出部が幅方向Ｗの外側に延出し、第２交差部５３２から２つの延出部が幅方向Ｗの外側に延出することによって、四方に延出している。延出部５４は、第１交差部５３１から前側に延びる第１延出部５４１と、第１交差部５３１から後側に延びる第３延出部５４３と、第２交差部５３２から前側に延びる第２延出部５４２と、第２交差部５３２から後側に延びる第４延出部５４４と、を有する。すなわち、第１交差部５３１は、第１延出部５４１及び第３延出部５４３が交差する交差部であり、第２交差部５３２は、第２延出部５４２及び第４延出部５４４が交差する交差部である。第１延出部５４１と第２延出部５４２は、幅方向Ｗにおいて隣り合っており、第３延出部５４３及び第４延出部５４４は、幅方向Ｗにおいて隣り合っている。
【００６９】
第１延出部５４１と第２延出部５４２は、物品幅中心線１ＷＣに対して線対称であってよく、第３延出部５４３と第４延出部５４４は、物品幅中心線１ＷＣに対して線対称であってよい。また、第１延出部５４１と第３延出部５４３は、幅方向に延びる仮想線に対して非対称であってよく、第２延出部５４２と第４延出部５４４は、幅方向に延びる仮想線に対して非対称であってよい。なお、変形例において、第１延出部５４１と第３延出部５４３は、幅方向に延びる仮想線に対して対称であり、第２延出部５４２と第４延出部５４４は、幅方向に延びる仮想線に対して対称であってよい。第１延出部５４１及び第２延出部５４２は、交差部５３よりも前側に位置し、第３延出部５４３及び第４延出部５４４は、交差部５３よりも後側に位置する。
【００７０】
前機能表示図柄Ｆ５０において、第１延出部５４１の長さは、第２延出部５４２の長さ同じであってよく、第３延出部５４３及び第４延出部５４４の長さよりも短くてよい。第２延出部５４２の長さは、第３延出部５４３及び第４延出部５４４の長さよりも短くてよい。後機能表示図柄Ｒ５０において、第１延出部５４１の長さは、第２延出部５４２の長さ同じであってよく、第３延出部５４３及び第４延出部５４４の長さよりも長くてよい。第２延出部５４２の長さは、第３延出部５４３及び第４延出部５４４の長さよりも長くてよい。
【００７１】
機能表示図柄５０は、第１交差部５３１と第２交差部５３２を連結する連結部５５を有する。連結部５５は、第１交差部５３１と第２交差部５３２を連結しており、幅方向Ｗに延びている。連結部５５と延出部５４の境界は、例えば、以下のように規定できる。延出部５４を構成する２側辺のうち交差部５３に接しない側辺に対して直交する第１仮想線ＦＬ１を当該交差部５３から延ばす。当該第１仮想線ＦＬ１を連結部５５と延出部５４の境界として、第１仮想線ＦＬ１よりも幅方向Ｗの外側（延出部５４の先端側）を延出部５４とし、第１仮想線ＦＬ１よりも幅方向Ｗの内側を連結部５５とすることができる。
【００７２】
本実施の形態の吸収性物品１は、機能表示図柄５０によって使用者にスポーツ用の吸収性物品であることを認識させるように構成されている。着用者がＸ字状の機能表示図柄５０を視認することにより、スポーツを想起することができ、スポーツ用の吸収性物品１であることを認識し易くなる。具体的には、Ｘ字状のデザインは、交差部５３と、交差部５３から延びる延出部５４と、を有する。延出部５４は、交差部から異なる四方向に延びている。隣り合う延出部５４によって挟まれた部分は、延出部５４よりも目立ち難く、延出部５４に対して凹んだ形状として認識され易い。そして、延出部５４が、延出部５４によって挟まれた部分に対して膨らむ形状として認識され易い。
【００７３】
図５は、身体の筋肉の形状を模式的に示した図である。一般的に身体の筋肉は、膨らんだ凸部分と、凸部分に対して凹んだ凹部分と、の組み合わせによって構成されており、腹筋及び胸筋のように立体的な身体に沿うように凸部分がＸ字状を形成している（例えば、図５のＣ部分及びＤ部分参照）。Ｘ字状の機能表示図柄５０を設けることにより、着用者の感覚に働きかけ、Ｘ字状の凸部分と凸部分に対して凹む凹部分から筋肉をイメージさせ、スポーツを着用者に想起させることができる。よって、着用者は、スポーツに適した機能を有するスポーツ用の吸収性物品１であることを把握し易くなる。
【００７４】
延出部５４は、曲線状の曲線部を有してよい。延出部５４の一部が曲線状に湾曲していてもよいし、延出部５４の全体が曲線状に湾曲していてもよい。また、第１延出部５４１から第４延出部５４４の少なくとも一部が曲線部を有してよい。本実施の形態の曲線部は、第１延出部５４１から第４延出部５４４の全体に設けられている。身体の筋肉は、曲線状であり、延出部５４の曲線部によって、着用者に筋肉をよりイメージさせて、スポーツを想起させることができる。
【００７５】
第１延出部５４１及び第２延出部５４２は、第１方向としての幅方向Ｗの外側に膨らむ湾曲形状であってよい。より詳細には、第１延出部５４１は、第１交差部５３１と連なる内端縁５４１１と、第１方向の外側に位置する外端縁５４１２を有する。第１延出部５４１は、内端縁５４１１と外端縁５４１２を繋いだ第２仮想線ＦＬ２に対して、第２延出部から離れる側（幅方向の外側）に膨らみ、かつ第３延出部に近づく側（第１交差部側）に膨らむ円弧形状である。同様に、第２延出部５４２は、第２交差部５３２と連なる内端縁５４２１と、幅方向Ｗの外側に位置する外端縁５４２２を有する。第２延出部５４２は、内端縁５４２１と外端縁５４２２を繋いだ第２仮想線ＦＬ２に対して、第１延出部５４１から離れる側（幅方向の外側）に膨らみ、かつ第４延出部５４４に近づく側（第２交差部側）に膨らむ円弧形状である。第１延出部５４１及び第２延出部５４２は、互いが離れる方向に向かって外側に膨らむ湾曲形状である。第１延出部５４１及び第２延出部５４２によって挟まれた領域は、直線によって挟まれた三角形状ではなく、曲線形状であり、身体の筋肉の膨らむ形状を模すことができる。よって、着用者により筋肉をイメージさせて、スポーツを想起させることができる。
【００７６】
また、第３延出部５４３及び第４延出部５４４は、第１方向としての幅方向Ｗの外側に膨らむ湾曲形状であってよい。より詳細には、第３延出部５４３は、第１交差部５３１と連なる内端縁５４３１と、第１方向の外側に位置する外端縁５４３２を有する。第３延出部５４３は、内端縁５４３１と外端縁５４３２を繋いだ第２仮想線ＦＬ２に対して、第４延出部５４４から離れる側（幅方向の外側）に膨らみ、かつ第１延出部５４１に近づく側（第１交差部側）に膨らむ円弧形状である。同様に、第４延出部５４４は、第２交差部５３２と連なる内端縁５４４１と、幅方向Ｗの外側に位置する外端縁５４４２を有する。第４延出部５４４は、内端縁５４４１と外端縁５４４２を繋いだ第２仮想線ＦＬ２に対して、第３延出部５４３から離れる側（幅方向の外側）に膨らみ、かつ第２延出部５４２に近づく側（第２交差部側）に膨らむ円弧形状である。第１延出部５４１及び第２延出部５４２は、互いが離れる方向に向かって外側に膨らむ湾曲形状である。第３延出部５４３及び第４延出部５４４によって挟まれた領域は、直線によって挟まれた三角形状ではなく、曲線形状であり、身体の筋肉の膨らむ形状を模すことができる。よって、着用者により筋肉をイメージさせて、スポーツを想起させることができる。
【００７７】
第１延出部５４１の幅Ｗ５４１及び第２延出部５４２の幅Ｗ５４２は、内端縁から外端縁に向かって短くなってよい。身体の筋肉は、曲線状に隆起しており、筋肉の膨らみから身体の凹むラインに向かって徐々に凹んでいく。延出部の幅が外端縁に向かって短くなることにより、筋肉の膨らみから身体の凹むラインを示すことができ、着用者により筋肉をイメージさせて、スポーツを想起させることができる。
【００７８】
同様に、第３延出部５４３の幅Ｗ５４３及び第４延出部５４４の幅Ｗ５４４は、内端縁から前記外端縁に向かって短くなってよい。身体の筋肉は、曲線状に隆起しており、筋肉の膨らみから身体の凹むラインに向かって徐々に凹んでいく。延出部の幅が外端縁に向かって短くなることにより、筋肉の膨らみから身体の凹むラインを示すことができ、着用者により筋肉をイメージさせて、スポーツを想起させることができる。
【００７９】
本実施の形態の機能表示図柄は、表示折曲基点部７０によって構成されている。しかし、他の形態における機能表示図柄は、折曲基点部によって構成されてなく、印刷等のデザインであってもよい。例えば、肌面シートまたは吸収コアに印刷を施すことによって機能表示図柄を示してもよい。
【００８０】
（４）表示折曲基点部の詳細構成及び着用時の変形態様
次いで、機能表示図柄５０を構成する表示折曲基点部７０について詳細に説明する。表示折曲基点部７０は、機能表示図柄５０を構成している。表示折曲基点部７０は、機能表示図柄５０が備える交差部５３、延出部５４及び連結部５５等のいずれの構成も有している。表示折曲基点部７０を基点として吸収性物品１が変形することにより、機能表示図柄５０を基点として周囲が膨らむように変形する等して、機能表示図柄５０及びその周囲が立体的に変形する。着用者により筋肉をイメージさせるとともに、動きをイメージさせることができ、よりスポーツを想起させることができる。
【００８１】
図６は、吸収性物品が着用物品としての下着Ｓに装着された状態を模式的に示す斜視図である。スポーツによる複雑な動きによってねじれ方向の力が作用することがある。このとき、Ｘ字状の表示折曲基点部７０によってねじれを吸収したり、延出部５４に沿って力を四方に逃がしたりできる。よって、変形時によれにくく、スポーツによる激しい動きに対する耐久性を高めることができる。また、表示折曲基点部７０は、Ｘ字状であるため、変形の基点が１点に集中せずに、分散し易い。よって、変形時によれにくく、スポーツによる激しい動きに対する耐久性を高めることができる。特に、交差部５３同士を繋ぐ連結部５５が設けられているため、力がより分散し易く、スポーツによる激しい動きに対する耐久性を高めることができる。
【００８２】
表示折曲基点部７０は、表示圧搾部８１によって構成されてよい。表示圧搾部８１は、周囲と比較して剛性差及び厚み差があり、変形基点となりやすい。また、表示圧搾部８１は、周囲と比較して高い密度であり、体液を引き込みやすい。よって、表示圧搾部８１によって体液を吸収することにより、表示圧搾部８１が体液によって目立ちやすくなり、機能表示図柄５０の機能をより発揮し易くなる。
【００８３】
表示折曲基点部７０の延出部５４は、曲線状の曲線部を有してよい。交差部５３を中心とした変形が内端縁から外端縁に向かって直線的に伝達せずに、曲線状に分散しつつ伝達する。よって、局所的な変形によるヨレを抑制し、変形時によれにくく、スポーツによる激しい動きに対する耐久性を高めることができる。また、延出部の幅が内端縁から外端縁に向かって短くなってよい。この構成によれば、交差部５３を中心とした変形が内端縁から外端縁に向かって小さくなりつつ伝達する。よって、局所的な変形によるヨレを抑制し、変形時によれにくく、スポーツによる激しい動きに対する耐久性を高めることができる。
【００８４】
また、表示折曲基点部７０は、幅方向に延びる連結部５５を有してよい。着用時に吸収性物品１が脚によって挟まれると、吸収性物品１には、幅方向Ｗの外側から内側に向かう力がかかる。第１交差部５３１と第２交差部５３２が連結部５５によって連結されているため、連結部５５によって幅方向Ｗの内側に向かう力に対向でき、吸収性物品１の幅入り及びよれを防ぐことができる。
【００８５】
連結部５５の幅Ｗ５５は、延出部の幅（Ｗ５４１、Ｗ５４２、Ｗ５４３、Ｗ５４４）以上であってよい。連結部５５の幅Ｗ５５は、延出部５４の幅と同じであってもよいし、延出部５４の幅よりも長くてもよい。連結部５５によって幅方向Ｗの内側に向かう力により対向でき、吸収性物品の幅入り及びよれを防ぐことができる。
【００８６】
表示折曲基点部７０の少なくとも一部は、中央中心線Ｓ３ＣＬよりも後側に位置してよい。本実施の形態の後表示折曲基点部Ｒ７０は、中央中心線Ｓ３ＣＬよりも後側に位置している。スポーツによって臀部が動いて捩れの力が生じると、会陰部付近に最も力がかかりやすい。表示折曲基点部が会陰部にかかる力によって変形することで、スポーツ時の身体に対する追従性を高めることができる。
【００８７】
表示折曲基点部７０よりも幅方向の外側には、前後折曲基点部７５が設けられていてよい。中央中心線Ｓ３ＣＬには、幅方向Ｗの外側から内側に向かう力がかかり易い。このとき、前後折曲基点部７５を基点に変形し、前後折曲基点部７５によって挟まれた領域が着用者側に膨らむように変形する。このとき、中央域Ｓ３よりも後側に位置する後側域Ｓ２に臀部の動き等による捩れ方向の力がかかると、中央中心線Ｓ３ＣＬよりも後側に位置する表示折曲基点部７０によって力を吸収し、前後折曲基点部７５によって着用者に膨らむ変形を維持し続けることができる。よって、排泄口に対するフィット性を向上できる。
【００８８】
本体接合部６１は、表示折曲基点部７０の４つの延出部５４のそれぞれに重なる領域に設けられてよい。四方に延びる延出部５４のそれぞれが本体接合部６１に重なっているため、延出部５４のそれぞれが着用物品に接合されて剛性が高くなり、変形基点としてより機能し易くなる。よって、Ｘ字状の基点の変形によってねじれを吸収したり、延出部に沿って力を四方に逃がしたりできる。よって、変形時によれにくく、スポーツによる激しい動きに対する耐久性を高めることができる。
【００８９】
より好適には、表示折曲基点部７０よりも幅方向Ｗの両外側に、本体接合部６１が配置されてよい。表示折曲基点部７０よりも幅方向の外側に位置する本体接合部によって、表示折曲基点部７０の幅方向の全体にわかって着用物品に追従し易くなる。よって、Ｘ字状の基点の変形によるねじれの吸収効果、延出部５４に沿って力を逃がす効果をより得やすい。よって、変形時によれにくく、スポーツによる激しい動きに対する耐久性を高めることができる。
【００９０】
表示折曲基点部７０の交差部よりも後側には、凹部が設けられてよい。具体的には、前表示折曲基点部Ｆ７０の交差部５３よりも後側、及び後表示折曲基点部Ｒ７０の交差部５３よりも後側には、第１凹部９５及び第２凹部９６が設けられている。着用者が比較的に大きな動作をすると、吸収性物品のうち特に後側域に捩れさせようとする力が作用する。このとき、一対の凹部及び表示折曲基点部７０よって後側域のねじれを吸収し、当該ねじれが中央中心線Ｓ３ＣＬに伝わり難くなる。よって、中央域Ｓ３における排泄口に対するフィット性の確保と後側域の身体への追従性を維持できる。
【００９１】
次いで、変形例に係る吸収性物品について説明する。図７は、変形例に係る吸収性物品１Ｘの肌面から見た平面図である変形例に係る吸収性物品と実施形態の吸収性物品との違いは、後側域Ｓ２における吸収性物品の外縁の形状である。その他の構成については、実施の形態と同様の構成であり、同符号を用いて説明を省略する。
【００９２】
吸収性物品の外縁には、平面視にて外側に膨出する複数の凸部と、凸部間に位置し、平面視にて内側に凹む凹部と、が設けられている。凸部と凹部は、物品幅中心線１ＷＣに対して線対称であって、一対で設けられてよい。凸部と凹部は、少なくとも後側域Ｓ２に設けられてよい。凹部は、中央域Ｓ３と後側域Ｓ２との境界に位置する第１凹部９５と、後側域Ｓ２の前後方向の中央に位置する第２凹部９６と、第２凹部と物品幅中心線１ＷＣの間に位置する第３凹部９７と、を有してよい。凸部は、第１凹部９５と第２凹部９６の間に位置する第１凸部９１と、第２凹部９６と第３凹部９７の間に位置する第２凸部９２と、物品幅中心線１ＷＣを跨って配置された第３凸部９３と、を有してよい。第１凸部９１は、幅方向の外側に膨らみ、第２凸部９２は、幅方向の外側かつ後側に膨らみ、第３凸部９３は、後側に膨らんでいる。第１凹部９５及び第２凹部９６は、幅方向の内側に凹み、第３凹部９７は、後側に凹んでいる。
【００９３】
延出部に沿って延出部からそれぞれ延びる複数の延出仮想線ＦＬ５のうち一の延出仮想線は、凸部に到達してよい。延出仮想線ＦＬ５は、各延出部の内端縁と外端縁を繋いだ第２仮想線ＦＬ２を延長した線である。表示圧搾部８１からなる表示折曲基点部７０は、密度が高く、毛管現象によって体液を延出仮想線に沿って拡散し易い。延出仮想線ＦＬ５が吸収性物品の外縁の凸部に到達することにより、延出部から吸収性物品の外端までの距離が長くなり、延出部によって拡散した体液の漏れを抑制できる。使用者は、使用後には、延出部によって体液を拡散でき、広い範囲で体液を吸収できること、及び体液の拡散方向における膨らみによって漏れが抑制されることを把握でき、吸収性能と漏れ抑制に対する安心感を得ることができる。
【００９４】
複数の延出仮想線ＦＬ５のうち第１延出仮想線ＦＬ５１が吸収性物品の外縁に到達する第１到達点Ｐ１と、複数の延出仮想線ＦＬ５のうち第２延出仮想線ＦＬ５２が吸収性物品の外縁に到達する第２到達点Ｐ２と、の間には、凹部が設けられてよい。具体的には、後表示折曲基点部Ｒ７０の第３延出部５４３の第１延出仮想線ＦＬ５１は、第１到達点Ｐ１において第２凸部９２に到達している。後表示折曲基点部Ｒ７０の第４延出部５４４の第２延出仮想線ＦＬ５２は、第２到達点Ｐ２において第２凸部９２に到達している。第１到達点Ｐ１と第２到達点Ｐ２の間には、第３凸部９３が配置されている。延出仮想線ＦＬ５に沿って機能表示図柄５０からを四方に力を逃すようなイメージを着用者に与えることができ、スポーツ時においてもよれにくい印象を与えることができる。また、吸収性物品の外縁に凹部があることによって、凹部からＸ字状の基点にむけて変形しやすくなることがある。しかし、機能表示図柄からを四方に力を逃し、その先に凸部があるため、力を外縁に逃がすことができる。よって、変形時によれにくく、スポーツによる激しい動きに対する耐久性を高めることができる。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００９６】
着用者に機能を想起させ、着用者がスポーツに適した機能を把握し易いスポーツ用の吸収性物品を提供することができる。
【符号の説明】
【００９７】
１、１Ｘ        ：吸収性物品
１ＷＣ    ：物品幅中心線
３        ：ウイング
１０      ：肌面シート
１１      ：表面シート
１２      ：サイドシート
２０      ：非肌面シート
３０      ：吸収コア
５０      ：機能表示図柄
５１      ：第１ライン
５２      ：第２ライン
５３      ：交差部
５３１    ：第１交差部
５３２    ：第２交差部
５４      ：延出部
５４１    ：第１延出部
５４２    ：第２延出部
５４３    ：第３延出部
５４４    ：第４延出部
５５      ：連結部
６１      ：本体接合部
７０      ：表示折曲基点部
７５      ：前後折曲基点部
８０      ：圧搾部
８１      ：表示圧搾部
８５      ：前後圧搾部
８６      ：中央圧搾部
８７      ：サイド圧搾部
９１      ：第１凸部
９２      ：第２凸部
９３      ：第３凸部
９５      ：第１凹部
９６      ：第２凹部
９７      ：第３凹部
ＦＬ１    ：第１仮想線
ＦＬ２    ：第２仮想線
ＦＬ３    ：ウイング仮想線
ＦＬ５    ：延出仮想線
Ｐ１      ：第１到達点
Ｐ２      ：第２到達点
Ｓ１      ：前側域
Ｓ２      ：後側域
Ｓ３      ：中央域
Ｓ３ＣＬ  ：中央中心線
Ｌ        ：前後方向
Ｔ        ：厚み方向
Ｗ        ：幅方向
【図１】
2020124313.tif 000003
【図２】
2020124313.tif 000004
【図３】
2020124313.tif 000005
【図４】
2020124313.tif 000006
【図５】
2020124313.tif 000007
【図６】
2020124313.tif 000008
【図７】
2020124313.tif 000009